(57)【要約】【課題】  カッター刃ユニットの取り付け位置を簡単に短時間で正確に切り替えることができ、路面や床面の状況等に影響されることなく常に効率的な切断作業を行うことのできる路面・床面カッター装置を提供すること。【解決手段】  移動可能に構成された移動体３と、上記移動体３に取り付けられカッター刃５を回転可能に備えると共に上記移動体３の進行方向に向かって左右方向に旋回可能に構成され旋回することにより上記カッター刃５を左右反対側に位置させるカッター刃ユニット７と、上記カッター刃５を回転させるカッター刃駆動手段９と、を具備するもの。【選択図】  図１
2006233624.tif 000002
【特許請求の範囲】
【請求項１】
移動可能に構成された移動体と、
上記移動体に取り付けられカッター刃を回転可能に備えると共に上記移動体の進行方向に向かって左右方向に旋回可能に構成され旋回することにより上記カッター刃を左右反対側に位置させるカッター刃ユニットと、
上記カッター刃を回転させるカッター刃駆動手段と、
を具備したことを特徴とする路面・床面カッター装置。
【請求項２】
請求項１記載の路面・床面カッター装置において、
上記カッター刃ユニットは傘歯車群を介して旋回可能に取り付けられていることを特徴とする路面・床面カッター装置。
【請求項３】
請求項１又は請求項２記載の路面・床面カッター装置において、
上記カッター刃ユニットは傾斜可能に構成されていて、傾斜することにより上記カッター刃の路面・床面に対する角度を調整するようにしたことを特徴とする路面・床面カッター装置。
【請求項４】
請求項３記載の路面・床面カッター装置において、
上記カッター刃ユニットには回動アームが取り付けられていて、この回動アームの一端をネジ・ナット機構により回動させることにより上記カッター刃ユニットを傾斜させるようにしたことを特徴とする路面・床面カッター装置。
【請求項５】
請求項１〜請求項４の何れかに記載の路面・床面カッター装置において、
上記カッター刃駆動手段はシャフト及びギヤからなる駆動伝達機構を介して上記カッター刃を回転させるものであることを特徴とする路面・床面カッター装置。
【請求項６】
請求項１〜請求項５の何れかに記載の路面・床面カッター装置において、
路面或いは床面におけるカット線を光の照射によって指し示すカット線照射手段が設けられていることを特徴とする路面・床面カッター装置。
【発明の詳細な説明】
【技術分野】
【０００１】
本発明は、道路の路面や建造物の床面に舗装或いは敷設されたアスファルトやコンクリート等を、例えば、直線的に切断する路面・床面カッター装置に係り、特に、カッター刃を左右旋回可能に取り付けることにより左右何れにおいても容易に所望の切断作業を行なうことができるように工夫したものに関する。
【背景技術】
【０００２】
道路の路面に舗装されたアスファルトや建造物の床面に敷設されたコンクリートを爾後の理由によって切断し、その一部のアスファルトやコンクリートを取り除いて補修工事等を行った後、再びその部位にアスファルトを舗装し直したり、コンクリートを敷設し直したりする場合がある。
そしてこのような工事に際して上記アスファルトやコンクリートを切断する場合に下記の特許文献１や特許文献２に示すようなコンクリートカッターや路面用カッターと称されるカッター装置が使用されている。
【０００３】
このカッター装置は移動可能に構成された移動体と、上記移動体に取り付けられカッター刃を回転可能に備えるカッター刃ユニットと、上記カッター刃を回転させるカッター刃駆動手段とを備えている。
このようなカッター装置を使用する場合にはカッター刃ユニットを進行方向前方に位置させてカッター刃を回転させ、所定の深さカッター刃を路面中或いは床面中に進入させる。
そして作業者は移動体の進行方向後方に回って、カッター刃の進行方向や切削抵抗或いは切削音等に注意しながら移動体を少しずつ前進させて路面或いは床面の切断を行う。
【０００４】
また上記カッター刃は移動体を正面から見た時、移動体の中心に位置するのではなく、作業者が作業中カッター刃の進行方向を確認し易い側の偏った位置に設けられている。
この場合、路面や床面の状況等によっては作業の途中でカッター刃の位置を左右反対側に変更したい場合がある。このような場合には一旦カッター刃ユニットを移動体から取り外して取り付け位置を替えて取り付け直したり、カッター装置を逆側に移動させて、逆側から切断作業をやり直すことによって対応していた。
【０００５】
【特許文献１】特開平６−３３４１８号公報
【特許文献２】特開２００１−２９５２１６号公報
【発明の開示】
【発明が解決しようとする課題】
【０００６】
しかし、作業の途中でカッター刃ユニットを移動体から一旦取り外し、取り付け直すことは極めて煩雑であるし、作業効率の点でも好ましくなく、工期の長大化につながる。
また切断作業を一旦停止して逆側にカッター装置を移動させて切断作業をやり直すのも面倒であり、路面や床面の状況等によっては逆側にカッター装置を移動できない場合もあり得る。
【０００７】
本発明はこのような点に基づいてなされたものでその目的とするところは、カッター刃ユニットの取り付け位置を簡単に短時間で正確に切り替えることができ、路面や床面の状況等に影響されることなく常に効率的な切断作業を行うことのできる路面・床面カッター装置を提供することにある。
【課題を解決するための手段】
【０００８】
上記目的を達成するべく本願発明の請求項１による路面・床面カッター装置は、移動可能に構成された移動体と、上記移動体に取り付けられカッター刃を回転可能に備えると共に上記移動体の進行方向に向かって左右方向に旋回可能に構成され旋回することにより上記カッター刃を左右反対側に位置させるカッター刃ユニットと、上記カッター刃を回転させるカッター刃駆動手段と、を具備したことを特徴とするものである。
又、請求項２による路面・床面カッター装置は、請求項１記載の路面・床面カッター装置において、上記カッター刃ユニットは傘歯車群を介して旋回可能に取り付けられていることを特徴とするものである。
又、請求項３による路面・床面カッター装置は、請求項１又は請求項２記載の路面・床面カッター装置において、上記カッター刃ユニットは傾斜可能に構成されていて、傾斜することにより上記カッター刃の路面・床面に対する角度を調整するようにしたことを特徴とするものである。
又、請求項４による路面・床面カッター装置は、請求項３記載の路面・床面カッター装置において、上記カッター刃ユニットには回動アームが取り付けられていて、この回動アームの一端をネジ・ナット機構により回動させることにより上記カッター刃ユニットを傾斜させるようにしたことを特徴とするものである。
又、請求項５による路面・床面カッター装置は、請求項１〜請求項４の何れかに記載の路面・床面カッター装置において、上記カッター刃駆動手段はシャフト及びギヤからなる駆動伝達機構を介して上記カッター刃を回転させるものであることを特徴とするものである。
又、請求項６による路面・床面カッター装置は、請求項１〜請求項５の何れかに記載の路面・床面カッター装置において、路面或いは床面におけるカット線を光の照射によって指し示すカット線照射手段が設けられていることを特徴とするものである。
【発明の効果】
【０００９】
したがって、本発明による路面・床面カッター装置によると、移動可能に構成された移動体と、上記移動体に取り付けられカッター刃を回転可能に備えると共に上記移動体の進行方向に向かって左右方向に旋回可能に構成され旋回することにより上記カッター刃を左右反対側に位置させるカッター刃ユニットと、上記カッター刃を回転させるカッター刃駆動手段と、を具備した構成になっているので、路面や床面の状況等に応じてカッター刃ユニットを瞬時に簡単な作業によって左右反対側の位置に切り替えることができ、路面乃至床面の切断作業が大幅に効率的になって工期の短縮が図られる。
又、上記カッター刃ユニットが傘歯車群を介して旋回可能に取り付けられている場合には、傘歯車群の噛み合い状態をそのまま維持してカッター刃ユニットを左右反対側の位置に簡単に切り替えることができる。
又、上記カッター刃ユニットが傾斜可能に構成されていて、傾斜することにより上記のカッター刃の路面・床面に対する角度を調整するようにした場合には、路面・床面に対して９０°の角度のみでなく、上記角度を中心とした左右一定範囲の傾斜角度の路面乃至床面に対する切断加工が可能になり、路面・床面カッター装置の機能性が向上する。
又、上記カッター刃ユニットには回動アームが取り付けられていて、この回動アームの一端をネジ・ナット機構により回動させることにより上記カッター刃ユニットを傾斜させるようにした場合には、比較的簡単な構成で正確に細かくカッター刃ユニットの傾斜角度を調整できるようになる。
又、上記カッター刃駆動手段がシャフト及びギヤからなる駆動伝達機構を介して上記カッター刃を回転させるものである場合には、カッター刃駆動手段をカッター刃ユニットから離れた位置に設置することができ、比較的重量のあるカッター刃駆動手段を進行方向後方に位置する移動体に支持させることが可能となり、進行方向前方に位置するカッター刃ユニットの重量が軽くなるため路面・床面カッター装置の操作性を向上させることができる。
又、路面或いは床面におけるカット線を光の照射によって指し示すカット線照射手段が設けられている場合には、カッター刃の進行方向の確認が容易になり、路面或いは床面の切断をより正確に安全に行うことができるようになる。
【発明を実施するための最良の形態】
【００１０】
以下、図１乃至図６を参照して本発明の第１の実施の形態を説明する。本実施の形態による路面・床面カッター装置１は、移動体３と、カッター刃５を備えたカッター刃ユニット７と、カッター刃５を回転させるカッター刃駆動手段９とを具備することにより基本的に構成されている。
移動体３はアングル材や金属製平板材料等を適宜組み合わせて構成される略矩形筐体状の移動架台１１と、移動架台１１の底部に設けられる移動車輪１３とを備えることによって構成されている。又、移動車輪１３は一例として６個設けられており、対向する位置にある２つの移動車輪１３は車軸１５によって夫々一体に回転するように連結されている。
又、移動架台１１の進行方向の後方上部には移動操作ハンドル１７が設けられており、該移動操作ハンドル１７を所定の方向に所定量回すことによって移動伝達手段１９を介して上記車軸１５に回転が伝達されて、所定ピッチずつ前進或いは後退し得るようになっている。
【００１１】
カッター刃ユニット７は、上記移動体３の進行方向前方に設けられており、路面乃至床面Ｇを直接切断するカッター刃５と、該カッター刃５の支持フレーム２１と、カッター刃５を所定ストローク昇降動し得るカッター刃昇降手段２３と、カッター刃５にカッター刃駆動手段９からの駆動力を伝達する駆動伝達機構２５の一部と、本発明の特徴的構成であるカッター刃５を移動体３の進行方向に向かって左右方向に旋回でき、カッター刃５を左右反対側に位置させるカッター刃旋回機構２７とが設けられている。
カッター刃５は円板状の部材でその周面には路面或いは床面Ｇの切断を直接司る図示しない超硬チップ等からなる切削刃が設けられている。又、切削刃はカッター刃５が切削方向に回転する限り、路面或いは床面Ｇを上方から切断するオーバーカットと、下方から切断するアンダーカットの両方の切断が行えるようになっている。
【００１２】
カッター刃昇降手段２３は、図５及び図６に示すように、支持フレーム２１の前面において上下方向に平行に延びるように設けられている２本のガイドレール２９、２９と、該ガイドレール２９、２９に対して摺動自在に係合する２組のスライドブロック３１、３１と、該スライドブロック３１、３１の前面に取り付けられ、スライドブロック３１、３１と共に昇降動するスライドベース３３と、該スライドベース３３を所定ストローク昇降動させることのできる昇降駆動部３５とを備えている。
尚、昇降駆動部３５としては、ボールネジ機構や油圧シリンダ等、種々の構成の昇降機構が使用可能である。
【００１３】
駆動伝達機構２５は、図１に示すように、以下述べるようなシャフト及びギヤによって構成されており、移動体３に搭載されたカッター刃駆動手段９であるエンジン３７の出力軸３９に対してカップリング４１を介して接続されている。
カップリング４１には軸受４３によって水平に支持されたドライブシャフト４５の一端が接続されている。又、ドライブシャフト４５の他端寄りの部位はベアリングＢによって回転自在に支持されており、ドライブシャフト４５の他端には第１傘歯車４７が取り付けられている。
又、第１傘歯車４７には第２傘歯車４９が噛み合っており、第２傘歯車４９は上記カッター刃ユニット７における支持フレーム２１に対して設けられる垂直方向上方に延びる第１中間シャフト５１の下端から幾分上方の位置に取り付けられている。
【００１４】
第１中間シャフト５１には第２傘歯車４９の上部と第１中間シャフト５１の上端寄りの部位にベアリングＢが設けられており、第１中間シャフト５１はこれらのベアリングＢによって回転自在に支持されている。
又、第１中間シャフト５１の上端には第１平歯車５３が取り付けられており、その前方には、アイドルギヤとして機能する第２平歯車５５を介して第３平歯車５７が互いに噛み合うように設けられている。
第３平歯車５７は上記第１中間シャフト５１の前方において垂直方向に平行に同じく支持フレーム２１に対して設けられている第２中間シャフト５９の上端に取り付けられている。
【００１５】
又、第２中間シャフト５９は第３平歯車５７の下方と第２中間シャフト５９の下端部に設けられている２つのベアリングＢによって回転自在に支持されている。
又、図５及び図６に示すように、第２中間シャフト５９の下端から幾分上方の位置には第３傘歯車６１が設けられており、この第３傘歯車６１は次に述べるカッター刃旋回機構２７の構成の一部ともなっている。
第３傘歯車６１には同じくカッター刃旋回機構２７の構成の一部ともなっている第４傘歯車６３が噛み合っており、第４傘歯車６３は段違い軸状の水平出力軸６５の一端に接続されている。
【００１６】
又、水平出力軸６５の他端には第４平歯車６７が取り付けられており、該第４平歯車６７と上記第４傘歯車６３のそれぞれの内側近傍に設けられているベアリングＢによって水平出力軸６５は回転自在に支持されている。
第４平歯車６７の下方にはアイドルギヤとして機能する第５平歯車６９を介して第６平歯車７１が互いに噛み合うように設けられている。
又、第６平歯車７１は、カッター刃５の回転軸７３の中間付近の位置に取り付けられていて、該回転軸７３は上記第６平歯車７１を挟むように設けられている２つのベアリングＢによって回転自在に支持されている。
そして回転軸７３の先端部にはカッター刃５を挟持状態で保持するチャック部７５が設けられており、更に切断加工中のカッター刃５に冷却用の水を供給するための流路形成部材が回転軸７３に対して設けられている。
【００１７】
カッター刃旋回機構２７は、上述したように第３傘歯車６１と第４傘歯車６３を具備しており、更に水平出力軸６５、第４平歯車６７、第５平歯車６９、第６平歯車７１及び回転軸７３の一部を被覆し、第４傘歯車６３、水平出力軸６５、第４平歯車６７、第５平歯車６９、第６平歯車７１、回転軸７３、チャック部７５及びカッター刃５を伴って図２等に示す中心線Ｌを中心にして１８０°の角度旋回し得る旋回アーム７７を備えている。
又、カッター刃旋回機構２７には、図示しないロック手段が設けられていて、旋回アーム７７を移動体３の進行方向に向って図５に示す左旋回位置と図６に示す右旋回位置とに固定できるようになっていて、切断加工の安全性が確保されている。
【００１８】
この他、図３及び図４に示すように、本実施の形態に係る路面・床面カッター装置１には上記カッター刃ユニット７を傾斜させて、カッター刃５を路面乃至床面Ｇに対して斜めに進入させることのできる傾斜機構７９が設けられている。
傾斜機構７９は、移動架台１１の前方側のフレームに対して幅方向に水平に回転自在に架け渡されている雄ネジが形成されたネジ軸８１と、該ネジ軸８１と螺合する雌ネジが形成されたナット部８３とを備えるネジ・ナット機構８５を備えている。
又、上記ナット部８３は上記ドライブシャフト４５の前端寄りの部位を回転自在に支持する円筒状の支持スリーブ８７と一体に設けられ、上方に延びる平板状で曲成加工された２枚の回動アーム８９によって挟持されるようにして回動アーム８９に取り付けられている。
【００１９】
又、上記ネジ軸８１の一端は移動架台１１の側部外方に向けて突出するように設けられており、その突出部９１には図示しない傾斜操作ハンドルと係合する係合加工が施されている。
そして上記図示しない傾斜操作ハンドルを所定の方向に所定量回すことによって回動アーム８９がドライブシャフト４５を回動支点Ｏとして、図４に示すように、左右に傾斜角度αずつ回動できるようになっている。本実施の形態では、一例として最大の傾斜角度αを４５°とした。
【００２０】
更に、図１に模式的に示すように本発明の路面・床面カッター装置１には、カッター刃５が路面乃至床面Ｇを切断する仮想切断線となる図１中、仮想線で示すカット線Ａを光の照射によって指し示すカット線照射手段９３が設けられている。
該カット線照射手段９３には赤外線やレーザ光等を照射できる発光源と、発光源から発光された光をカット線Ａの形に偏光し得る偏光スリット等を備えたフィルタ等とが一例として備えられている。
【００２１】
次にこのようにして構成される第１の形態に係る路面・床面カッター装置の各部の作動態様を操作の手順に従って（１）移動動作、（２）昇降動作、（３）切断動作、（４）旋回動作、（５）傾斜動作に分けて説明する。
（１）移動動作
路面・床面カッター装置１を作業場所まで大きく移動させる場合には移動操作ハンドル１７の下部において進行方向後方に向けて延びている手押しハンドル９５を握り、前方に押し出すようにして移動体３を移動させる。
勿論上記の移動の際はカッター刃昇降手段２３によってカッター刃５を路面乃至床面Ｇより上方に浮かせた状態にしておく。
又、切断作業中において移動体３を移動させる場合には上述したように移動操作ハンドル１７を使用し、移動操作ハンドル１７を所定の方向に少しずつ回し、移動伝達手段１９を介して移動車輪１３に回転を伝達させてカッター刃５の進行方向がカット線Ａに一致するように微調整しながらゆっくりと移動させる。
【００２２】
（２）昇降動作
上記のように路面・床面カッター装置１を作業場所まで大きく移動させる場合にはカッター刃５を上方に退却させるためにカッター刃５を大きく上方に移動させる必要がある。又、切断作業時にはカッター刃５を下方に移動させて、カッター刃５を路面乃至床面Ｇ中に所定の深さ進入させる必要がある。
このような動作を行うのがカッター刃昇降手段２３である。具体的には昇降駆動部３５を作動させてスライドベース３３を所定の位置に移動させる。スライドベース３３はガイドレール２９と係合するスライドブロック３１によってガイドレール２９に案内されて上下方向に移動する。
スライドベース３３には旋回アーム７７と、その内部に設けられている駆動伝達機構２５及びチャック部７５によって保持されたカッター刃５が接続されており、これらの部材を伴ってスライドベース３３は所定の位置に移動する。
【００２３】
（３）切断動作
上記カッター刃昇降手段２３によって路面乃至床面Ｇ中の所定の深さにカッター刃５を進入させる際及び切断作業中はカッター刃５を回転させる必要がある。
このような場合にはカッター刃駆動手段９であるエンジン３７を始動し、エンジン３７の出力軸３９の回転をカップリング４１を介してドライブシャフト４５に伝達する。
ドライブシャフト４５の回転は第１傘歯車４７と第２傘歯車４９とによって構成される傘歯車群によって方向を９０°変更させて上方に向けて延びる第１中間シャフト５１を回転させる。
【００２４】
第１中間シャフト５１の回転は第１平歯車５３、第２平歯車５５、第３平歯車５７からなる歯車列を介して第２中間シャフト５９に伝達される。
又、第２中間シャフト５９の回転はカッター刃旋回機構２７の一部でもある第３傘歯車６１と第４傘歯車６３とによって構成される傘歯車群によって方向を再び９０°変換させて水平出力軸６５を回転させる。
そして水平出力軸６５の回転は第４平歯車６７、第５平歯車６９、第６平歯車７１からなる歯車列を介して回転軸７３に伝達され、所定の方向に所定の速度でカッター刃５を回転させる。
【００２５】
（４）旋回動作
切断作業を行っている際、路面乃至床面Ｇの状況の変化等が生じてカッター刃５の取り付け位置を左右反対方向に切り替えたい場合にはカッター刃旋回機構２７を使用して旋回アーム７７を１８０°所定の方向に旋回させる。
この場合には図示しないロック手段を一旦解除し、旋回アーム７７を旋回できる状態にして直接旋回アーム７７を手で持って旋回させて左右反対方向にカッター刃５を位置させ、解除した図示しないロック手段を再びロック状態とする。
このように本発明では旋回アーム７７を単に旋回させることによってカッター刃５を左右反対方向に位置させることができ、従来行っていた煩わしいカッター刃ユニット７の着脱作業は不要であり、作業効率の大幅な改善が図られている。
【００２６】
（５）傾斜動作
路面乃至床面Ｇの状況や補修工事の内容等によってはカッター刃５を路面乃至床面Ｇに対して傾斜させた状態で進入させ、路面乃至床面Ｇを斜めに切断したい場合がある。
このような場合には、傾斜機構７９を作動させてカッター刃ユニット７を所定の方向に所定の傾斜角度αだけ傾斜させる。すなわち、図４に示すように、ネジ軸８１の突出部９１に図示しない傾斜操作ハンドルを係合させ、該傾斜操作ハンドルを所定の方向に所定量回転させる。
【００２７】
これによりネジ軸８１が回転し、該ネジ軸８１と螺合するナット部８３が回動アーム８９によって回り止めされているため左右方向に所定ストローク移動するようになる。
ナット部８３の移動に伴って回動アーム８９は所定の方向に所定の傾斜角度αだけ回動するようになり、図示しない連結杆等によって支持フレーム２１に対して回動アーム８９は連結されているためカッター刃ユニット７も回動アーム８９と同方向に同じ傾斜角度αだけ傾斜する。
尚、傾斜操作ハンドルの回転方向及び回転数を回動アーム８９乃至カッター刃ユニット７の傾斜角度αに変換した目盛り等を移動架台１１に設けることも可能であり、このような目盛りを有する場合には正確な傾斜角度αの設定が可能となる。
【００２８】
次に図７乃至図１３を参照して本発明の第２の実施の形態を説明する。
尚、第２の実施の形態に係る路面・床面カッター装置１０１の基本的構成及び作動態様の概略は上記第１の実施の形態に係る路面・床面カッター装置１と同様であるので、ここでは第１の実施の形態と異なる構成とその作動態様に絞って説明する。又、第１の実施の形態と構成を同じくする部材については上述した第１の実施の形態の説明で使用したのと同一の符号を使用することとする。
先ず第２の実施の形態に係る路面・床面カッター装置１０１にあっては、カッター刃駆動手段９として車載式の発電機１０３と、発電機１０３によって発電された電力を利用して駆動される回転駆動モータ１０５が設けられている。そして発電機１０３は移動架台１１内に設けられており、回転駆動モータ１０５はカッター刃ユニット７の上部に下向きで設けられている。
【００２９】
これに伴って駆動伝達機構２５の構成が上記第１の実施の形態に比べて格段に簡単になっている。すなわち、回転駆動モータ１０５の出力軸１０７は、図１２に示すように、カップリング１０９を介して段差軸状の垂直入力軸１１１に伝達され、更に第１傘歯車１１３、第１傘歯車１１３と噛み合う第２傘歯車１１５を介して同じく段差軸状の水平出力軸１１７に伝達されるという簡単な構成になっている。
そして垂直入力軸１１１は上部寄りと下部寄りの２個所においてベアリングＢによって回転自在に支持されており、垂直入力軸１１１の下端に上記第１傘歯車１１３が設けられている。又、第２傘歯車１１５は水平出力軸１１７の基端部に設けられており、第２傘歯車１１５の近傍の水平出力軸１１７における基端寄りの部位と、中央付近にはベアリングＢが設けられており、これらのベアリングＢによって水平出力軸１１７は回転自在に支持されている。
【００３０】
又、水平出力軸１１７の先端部にはチャック部７５が設けられており、このチャック部７５によってカッター刃５は挟持状態で保持されている。
カッター刃旋回機構２７は上述の第１傘歯車１１３と、第２傘歯車１１５と、上記水平出力軸１１７を被覆し、第２傘歯車１１５、水平出力軸１１７、チャック部７５及びカッター刃５を伴って垂直入力軸１１１の軸心方向を中心に１８０°の角度旋回し得る円筒状の旋回アーム１１９とを備えることによって構成されている。
【００３１】
又、本実施の形態に係る路面・床面カッター装置１０１は、図８に示すように、中心線Ｌから左右に幾分偏った位置にカッター刃ユニット７が設けられている。これに伴い、傾斜機構７９には図９に示すようなオフセット機構１２１が設けられている。
オフセット機構１２１は移動架台１１の中心線Ｌ上に回動支点Ｏを有する回動アーム８９と、移動架台１１の下部フレーム１２３と、上記回動アーム８９の中間付近に一端が回転自在に接続され、下部フレーム１２３と平行に水平に延びる水平連結ロッド１２５と、水平連結ロッド１２５の他端に上端が回転自在に接続され、下端が下部フレーム１２３上のオフセット回動支点Ｐを中心に回動アーム８９と平行に回動する回動サブアーム１２７とを備える４節平行リンク機構によって構成されている。
【００３２】
そして上記オフセット回動支点Ｐを構成するオフセット回動軸１２９と、回動サブアーム１２７を利用してその前方にカッター刃ユニット７が取り付けられている。
又、オフセット回動軸１２９は図１１に示すように先端にフランジ部１３１が形成されているガイドスリーブ１３３によって回転自在に支持されており、ガイドスリーブ１３３はオフセット回動軸１２９と回動サブアーム１２７を伴って水平ガイドレール１３５に案内されて左右方向に所定ストローク移動できるようになっている。
因みにこのように左右方向にオフセット回動軸１２９等を移動できるようにしたのは、図８に示すように、オフセット機構１２１の採用によってカッター刃ユニット７が中心線Ｌから左右に幾分ずれて位置するためであり、旋回アーム１１９の旋回に先立ってオフセット回動支点Ｐの位置を左右反対方向に移動させておく必要があるからである。
【００３３】
この他、第２の実施の形態に係る路面・床面カッター装置１０１における昇降駆動部３５は支持フレーム２１の上端から突出している突出部１３７に対して、該突出部１３７と係合する図示しない昇降操作ハンドルを取り付け、手動によって昇降操作ハンドルを回転させることによってボールネジ機構等を介してカッター刃５を昇降動させる機構を採用している。勿論カッター刃５を自動的に昇降動させることのできる電動モータや油圧シリンダ等を備えた構成を採用することも可能である。
尚、この点については第１の実施の形態に係る路面・床面カッター装置１についても同様である。
【００３４】
そしてこのような第２の実施の形態の場合にも上記第１の実施の形態と同様、極めて簡単な操作によってカッター刃ユニット７の取り付け位置を左右反対に切り替えることができ、オフセット機構１２１の採用によって多少構造や取り付け位置の切り替え手順が複雑になるものの駆動伝達機構２５の単純化によって路面・床面カッター装置１０１全体の構造の簡素化と軽量化を図ることができる。
【００３５】
尚、本発明は上述した第１及び第２の実施の形態に限定されるものではない。
例えば、移動体３の移動は上述した手動によるものの他、動力を利用した自走式のものであってもよいし、更に作業者が乗車できる乗車ステップや運転席等を備えた大型の移動体３とすることも可能である。
又、第２の実施の形態で採用した発電機１０３は、移動架台１１に搭載する他、近傍の路面乃至床面Ｇに設置した外部の発電機とすることも可能であり、該外部の発電機に接続した電気ケーブルを回転駆動モータ１０５に接続することでカッター刃５を回転させるようにすることも可能である。
この他、傾斜機構７９によるカッター刃ユニット７の傾斜動作、カッター刃昇降手段２３によるカッター刃５の昇降動作、カッター刃旋回機構２７による旋回動作等も手動に限らず動力を利用して自動的に行なえるようにすることも可能である。
【産業上の利用可能性】
【００３６】
本発明は、道路の路面や建造物の床面に舗装乃至敷設されたアスファルトやコンクリート等を直線的に切断することができる路面・床面カッター装置に関するものであって、特にカッター刃ユニットの取り付け位置の切り替え作業の効率化を図り、種々の路面や床面の状況に瞬時に対応できるようにしたことにより路面・床面の切断作業の分野において大いに利用が期待される。
【図面の簡単な説明】
【００３７】
【図１】本発明の第１の実施の形態を示す図で、路面・床面カッター装置の側断面図である。
【図２】本発明の第１の実施の形態を示す図で、路面・床面カッター装置の背面図である。
【図３】本発明の第１の実施の形態を示す図で、駆動伝達機構の一部と傾斜機構を拡大して示す側断面図である。
【図４】本発明の第１の実施の形態を示す図で、傾斜機構を拡大して示す正面図である。
【図５】本発明の第１の実施の形態を示す図で、図５（ａ）はカッター刃昇降手段とカッター刃旋回機構を拡大して示すと共にカッター刃を左旋回させた状態の平面図、図５（ｂ）はカッター刃昇降手段とカッター刃旋回機構を拡大して示すと共にカッター刃を左旋回させた状態の縦断正面図である。
【図６】本発明の第１の実施の形態を示す図で、図６（ａ）はカッター刃昇降手段とカッター刃旋回機構を拡大して示すと共にカッター刃を右旋回させた状態の平面図、図６（ｂ）はカッター刃昇降手段とカッター刃旋回機構を拡大して示すと共にカッター刃を右旋回させた状態の縦断正面図である。
【図７】本発明の第２の実施の形態を示す図で、路面・床面カッター装置の側面図である。
【図８】本発明の第２の実施の形態を示す図で、路面・床面カッター装置の正面図である。
【図９】本発明の第２の実施の形態を示す図で、傾斜機構とオフセット機構を拡大して示す正面図である。
【図１０】本発明の第２の実施の形態を示す図で、傾斜機構を拡大して示す側断面図である。
【図１１】本発明の第２の実施の形態を示す図で、図９中、ＸＩ―ＸＩ線で破断した状態を示す側断面図である。
【図１２】本発明の第２の実施の形態を示す図で、カッター刃ユニットを示す縦断正面図である。
【図１３】本発明の第２の実施の形態を示す図で、カッター刃ユニットを示す側面図である。
【符号の説明】
【００３８】
１  路面・床面カッター装置
３  移動体
５  カッター刃
７  カッター刃ユニット
９  カッター刃駆動手段
１７  移動操作ハンドル
３７  エンジン
９３  カット線照射手段
Ｇ  路面（床面）
【図１】
2006233624.tif 000003
【図２】
2006233624.tif 000004
【図３】
2006233624.tif 000005
【図４】
2006233624.tif 000006
【図５】
2006233624.tif 000007
【図６】
2006233624.tif 000008
【図７】
2006233624.tif 000009
【図８】
2006233624.tif 000010
【図９】
2006233624.tif 000011
【図１０】
2006233624.tif 000012
【図１１】
2006233624.tif 000013
【図１２】
2006233624.tif 000014
【図１３】
2006233624.tif 000015